(57)【要約】【課題】第１には軒天ボードの差込み過ぎ等の作業ミスをなるべく防止でき、第２には開閉弁を設けなくても軒裏への雨の進入を防止することができる軒裏換気金物や軒裏換気装置を提供すること。【解決手段】軒天ボード先端収容部１１Ａに連続する換気通路形成下面１１ｂと、その換気通路形成下面１１ｂにおける外壁とは反対側の端部を折り曲げ起立させた換気通路形成起立面１１ｃと、その換気通路形成起立面１１ｃの上端部から外壁に近付くように折り曲げた換気通路形成上面１１ｄとからなる換気通路形成部１１Ｂと、換気通路形成上面１１ｄから折れ曲がり外壁に取り付けられる外壁取付け部１１Ｅとを有し、換気通路形成上面１１ｄには換気スリット１１ｄ１を設ける一方、換気通路形成起立面１１ｃと外壁取付け部１１Ｅとの間には、換気通路から入り込む雨水を防止する雨水浸入防止板１１ｂ１を設ける。【選択図】図２
2014098244.tif 000002
【特許請求の範囲】
【請求項１】
屋根裏に近い外壁に取付けられて換気通路を確保し、換気通路を介して軒裏の換気を行う軒裏換気金物であって、
外壁との間に換気通路の入口を設けるため外壁から離間して設けられ、軒天ボード先端を収容する断面コ字状の軒天ボード先端収容部と、
軒天ボード先端収容部の上面と連続し、外壁から離れる方向に延びる換気通路形成下面と、その換気通路形成下面における外壁とは反対側の端部を折り曲げて起立させた換気通路形成起立面と、その換気通路形成起立面の上端部から外壁に近付くように折り曲げて軒天ボード先端収容部よりも外壁側に突出するまで延び、軒天ボード先端収容部と外壁との間に換気通路の入口を確保する換気通路形成上面とからなる換気通路形成部と、
換気通路形成上面から折れ曲がり外壁に取り付けられる外壁取付け部とを有し、
換気通路形成上面または換気通路形成起立面には、換気通路を通過してきた空気を屋根裏に通すための換気スリットを設ける一方、
換気通路形成起立面と外壁取付け部との間には、換気通路の入口からの入り込む雨水を防止する雨水浸入防止板を設けたことを特徴とする軒裏換気金物。
【請求項２】
請求項１記載の軒裏換気金物において、
雨水浸入防止板は、換気通路形成下面にコの字状の切り込みを入れて、その切り込みに囲まれた換気通路形成起立面が換気通路形成上面に近付くように折り曲げて換気通路形成下面から立ち上げることにより設けたことを特徴とする軒裏換気金物。
【請求項３】
請求項１または請求項２に記載の軒裏換気金物において、
雨水浸入防止板は、換気スリットよりも外壁側に設けたことを特徴とする軒天換気金物。
【請求項４】
請求項１記載の軒裏換気金物において、
換気通路形成上面にコの字に複数の切り込みを入れて、その換気通路形成起立面側が換気通路形成下面に近付くように折り曲げることにより、換気通路形成上面に換気スリットを設ける共に、換気通路形成上面から下がる雨水浸入防止板を設けたことを特徴とする軒裏換気金物。
【請求項５】
請求項１〜請求項４のいずれか一の請求項に記載の軒裏換気金物において、
軒天ボード先端収容部には、その底面の先端部が下方に斜めに折り曲げられて傾斜した軒天ボード案内面が設けられていることを特徴とする軒裏換気金物。
【請求項６】
請求項１〜請求項５のいずれか一の請求項に記載の軒裏換気金物の換気通路形成起立面と雨水浸入防止板との間であって軒裏換気金物の長手方向に、火災時などの高温時に膨張して換気通路を塞ぐ不燃性高温膨張材を貼り付けたことを特徴とする軒裏換気装置。
【発明の詳細な説明】
【技術分野】
【０００１】
本発明は、屋根裏に近い外壁に取付けられて換気通路を確保し、換気通路を介して軒裏の換気を行う軒裏換気金物、およびその軒裏換気金物に不燃性高温膨張材を貼り付けて構成した軒裏換気装置に関する。
【背景技術】
【０００２】
従来の軒裏換気装置として、例えば、入口開口部の上下に天井板を挟持し得る折曲突補強リブが夫々突設された断面コ状の天井板支持金具内に不燃性天井板の側端縁が所定の深さまで挿入されて支持されており、かつ天井板支持金具の下面の略中央部に入口開口部と平行に折曲段差部が設けられると共に、該折曲段差部の低部に不燃性体積高温膨張材が取付けられており、さらに天井板支持金具下面の入口開口部近傍及び上面の所定位置に夫々多数の換気孔が設けられており、該天井板支持金具と不燃性天井板の側端縁との間に下面の換気孔から上面の換気孔に連通した断面コ状の換気用空気通路が設けられて構成したものが提案されて特許になっている（例えば、特許文献１参照。）。
【０００３】
また、換気通路の下部を室外或は室内側に開放すると共にその天井部に換気穴を設け、かつ起立面の所定位置に、入口開口部が狭く、それに続く奥部が広くなるように形成されたコ字状の嵌合凹所を設け、さらに換気通路内に風雨が侵入した際に該換気通路を閉鎖し得る開閉弁（フラップ）を、開閉弁の底部が広くなるように形成された嵌入部を嵌合凹所の奥部に嵌入させ、着脱自在に装着して構成し、起立面の嵌合凹所の下方所定位置にくぼみを設け、嵌合凹所内に装着された開閉弁の作動部の先端部がくぼみの入口開口部の上方に位置し、換気通路に侵入した風がくぼみを通過して開閉弁の作動部に当たって回動させ、その作動部が換気通路を閉鎖するようにしたものも提案されて特許になっている（例えば、特許文献２，３参照。）
【先行技術文献】
【特許文献】
【０００４】
【特許文献１】特許第３２６８０２４号公報
【特許文献２】特許第４０２２０５８号公報
【特許文献３】特許第４４７８６９１号公報
【発明の概要】
【発明が解決しようとする課題】
【０００５】
しかし、上述の特許文献１の軒裏換気装置では、本装置に軒天ボードの先端が挿入されて、軒天ボード自身も換気通路を形成するように構成されているものの、軒天ボードの先端と本装置の内側壁との間に一定の間隔を空けて所定の換気通路を形成するため、熟練した作業が必要である。そのため、作業に習熟していない作業者の場合、軒天ボードの先端を差込み過ぎた場合には、その先端が本装置の内側壁に当接して換気通路を遮断して換気不可になるという問題がある。
【０００６】
また、上述の特許文献１の軒裏換気装置では、軒天ボードの先端の差込不足の場合には、高温膨張材が膨張しても換気通路が遮断されず、火炎や熱気が軒裏に侵入するおそれがある。
【０００７】
また、上述の特許文献２，３の軒裏換気装置では、高温膨張材に対向する面が高温膨張材から離れる方向に傾斜して、スリットに近付くほど換気通路が広がるように形成されているため、高熱によって高温膨張材が膨張したとしても、膨張不足の場合には、換気通路を遮断できないおそれがある。
【０００８】
さらに、上述の特許文献２，３の軒裏換気装置では、換気通路内に風雨が侵入した際に、その風圧によって作動して換気通路を閉鎖し、軒裏への雨の侵入を防ぐ開閉弁（フラップ）を設けているため、その開閉弁の分だけ部品コストがかかると共に、その取り付け作業に手間がかかるという問題がある。特に、開閉弁（フラップ）は、風圧によって作動するようにゴム等から構成しているため、熱等に弱く、経年劣化し易いので、長期間に亘る軒裏への雨の侵入は防ぐことが困難で、その特許文献２，３の明細書中に記載されているように定期的に交換する必要があった。
【０００９】
そこで、本発明は、このような問題に着目してなされたもので、第１には軒天ボードの差込み過ぎ及び差込み不足という軒天ボードの差込み作業のミスをなるべく防止でき、第２には開閉弁（フラップ）を設けなくても軒裏への雨の進入を防止することができる軒裏換気金物、および第３には高温膨張材が膨張不足の場合でも換気通路を確実に遮断できる軒裏換気装置を提供することを目的とする。
【課題を解決するための手段】
【００１０】
前記課題を解決するため、本発明に係る軒裏換気金物は、屋根裏に近い外壁に取付けられて換気通路を確保し、換気通路を介して軒裏の換気を行う軒裏換気金物であって、外壁との間に換気通路の入口を設けるため外壁から離間して設けられ、軒天ボード先端を収容する断面コ字状の軒天ボード先端収容部と、軒天ボード先端収容部の上面と連続し、外壁から離れる方向に延びる換気通路形成下面と、その換気通路形成下面における外壁とは反対側の端部を折り曲げて起立させた換気通路形成起立面と、その換気通路形成起立面の上端部から外壁に近付くように折り曲げて軒天ボード先端収容部よりも外壁側に突出するまで延び、軒天ボード先端収容部と外壁との間に換気通路の入口を確保する換気通路形成上面とからなる換気通路形成部と、換気通路形成上面から折れ曲がり外壁に取り付けられる外壁取付け部とを有し、換気通路形成上面または換気通路形成起立面には、換気通路を通過してきた空気を屋根裏に通すための換気スリットを設ける一方、換気通路形成起立面と外壁取付け部との間には、換気通路の入口からの入り込む雨水を防止する雨水浸入防止板を設けたことを特徴とする。
ここで、上記軒裏換気金物において、雨水浸入防止板は、換気通路形成下面にコの字状の切り込みを入れて、その切り込みに囲まれた換気通路形成起立面が換気通路形成上面に近付くように折り曲げて換気通路形成下面から立ち上げることにより設けるようにすると良い。
また、上記軒裏換気金物において、雨水浸入防止板は、換気スリットよりも外壁側に設けるようにすると良い。
また、上記軒裏換気金物において、換気通路形成上面にコの字に複数の切り込みを入れて、その換気通路形成起立面側が換気通路形成下面に近付くように折り曲げることにより、換気通路形成上面に換気スリットを設ける共に、換気通路形成上面から下がる雨水浸入防止板を設けるようにしても良い。
また、上記軒裏換気金物において、軒天ボード先端収容部には、その底面の先端部が下方に斜めに折り曲げられて傾斜した軒天ボード案内面が設けるとさらに良い。
また、本発明に係る軒裏換気装置は、上記のいずれかの軒裏換気金物を使用し、その換気通路形成起立面と雨水浸入防止板との間であって軒裏換気金物の長手方向に、火災時などの高温時に膨張して換気通路を塞ぐ不燃性高温膨張材を貼り付けたことを特徴とする。
【発明の効果】
【００１１】
本発明の軒裏換気金物では、軒裏換気金物に軒天ボード先端を収容する断面コ字状の軒天ボード先端収容部を設けたため、軒天ボードの差込み過ぎ及び差込み不足という軒天ボードの差込み作業のミスをなるべく防止できる。
また、本発明の軒裏換気金物では、軒裏換気金物の換気通路形成起立面と外壁取付け部との間に、換気通路の入口からの入り込む雨水を防止する雨水浸入防止板を設けると、開閉弁（フラップ）を設けなくても軒裏への雨の進入を防止することができる。
さらに、本発明の軒裏換気装置では、不燃性高温膨張材を換気通路形成起立面と雨水浸入防止板との間に設けたため、不燃性高温膨張材が膨張不足の場合でも換気通路を確実に遮断できる。
【図面の簡単な説明】
【００１２】
【図１】実施形態１の軒裏換気装置の使用状態を示す正面図である。
【図２】実施形態１の軒裏換気金物を換気スリットの斜め上方から見た際の斜視図である。
【図３】実施形態１の軒裏換気金物を雨水浸入防止板側から見た際の斜視図である。
【図４】実施形態１の軒裏換気装置の正面図である。
【図５】実施形態１の軒裏換気装置の平面図である。
【図６】実施形態１の軒裏換気装置の右側面図である。
【図７】実施形態１の軒裏換気装置の左側面図である。
【図８】実施形態１の軒裏換気装置における換気通路形成起立面の一部分を切欠いた左側面図である。
【図９】実施形態１の軒裏換気装置の底面図である。
【図１０】図7に示す軒裏換気装置のＡ−Ａ線断面図である。
【図１１】換気通路形成起立面に補強リブを設けた実施形態１の軒裏換気装置の正面図である。
【図１２】換気通路形成起立面に補強リブを設けた実施形態１の軒裏換気装置の左側面図である。
【図１３】換気通路形成上面から雨水浸入防止板を下げた実施形態２の軒裏換気装置の斜視図である。
【発明を実施するための形態】
【００１３】
以下、本発明に係る軒裏換気装置の実施の形態を、添付図面を参照しながら詳細に説明する。なお、下記の実施形態は、本発明の一例であり、本発明は、下記の実施形態に限定されるものではなく、本発明の技術思想の範囲内で適宜変更可能である。
【００１４】
図１に示すように、この軒裏換気装置１は、屋根裏に近い外壁２に取付けられ、軒裏換気金物１１によって確保された換気通路を介して屋外からの空気を屋根裏に送ったり、あるいはその逆に換気を行うと共に、火災時などの高温時には軒裏換気金物１１に設けた不燃性高温膨張材１２によって換気通路を塞ぐようにしたものである。なお、図１において、３は軒天ボード、４は屋根、５は鼻隠し材である。また、実施形態１，２では、軒裏換気金物に不燃性高温膨張材１２を貼り付けているが、本発明では、後述するように、不燃性高温膨張材１２を設けることは必須ではなく、省略しても良い。
【００１５】
軒裏換気金物１１は、図２〜図１０に示すように、一枚の金属板を折り曲げたり、切断加工して構成したもので、軒天ボード先端収容部１１Ａと、換気通路形成部１１Ｂと、外壁取付け部１１Ｅとから構成されている。なお、図２および図３に示す斜視図では、軒裏換気装置１に不燃性高温膨張材１２を貼り付けてない状態、すなわち軒裏換気金物１１の斜視図を示している。
【００１６】
軒天ボード先端収容部１１Ａは、外壁２との間に換気通路の入口を設けるため外壁２から離間して設けられ、軒天ボード３の先端が当たって軒天ボード３を収容する断面コ字状の部分で、図４や図１０等に示すように、天ボード先端収容部１１Ａの底面が斜めに折り曲げられ傾斜した軒天ボード案内面１１ａ１を有している。これにより、この軒裏換気金物１１では、軒天ボード先端収容部１１Ａの奥部側面に軒天ボード３の先端が当たって軒天ボード３が収容されるため、軒天ボード３の差込み過ぎや、差込み不足という軒天ボード３の差込み作業のミスを防止することができる。
【００１７】
また、軒天ボード先端収容部１１Ａの軒天ボード案内面１１ａ１は、図４や図１０等に示すように、その先端部が下方に折り曲げられ傾斜しているため、軒天ボード３を軒天ボード先端収容部１１Ａへ挿入する際、その傾斜した軒天ボード案内面１１ａ１が軒天ボード３の先端部を軒天ボード先端収容部１１Ａの奥部へと案内するため、その際の作業性が向上すると共に、軒天ボード３の差込み過ぎ及び差込み不足という軒天ボード３の差込み作業のミスをより防止できることになる。
【００１８】
換気通路形成部１１Ｂは、図４や図１０等に示すように、軒天ボード先端収容部１１Ａの上面と連続し、外壁２から離れる方向に延びる換気通路形成下面１１ｂと、その換気通路形成下面１１ｂにおける外壁２とは反対側の端部を折り曲げて起立させた換気通路形成起立面１１ｃと、その換気通路形成起立面１１ｃの上端部から外壁２に近付くように折り曲げて軒天ボード先端収容部１１Ａよりも外壁２側に突出するまで延び、軒天ボード先端収容部１１Ａと外壁２との間に換気通路の入口を確保する換気通路形成上面１１ｄとを有している。
【００１９】
換気通路形成上面１１ｄには、図２や図５等に示すように、換気通路を通過してきた空気を屋根裏に通すため、軒裏換気金物１１の短手方向に細幅で、かつ、長孔形状の換気スリット１１ｄ１を、軒裏換気金物１１の長手方向に所定間隔で複数設けている。ここで、換気スリット１１ｄ１の形状を軒裏換気金物１１の長手方向に細幅としたのは、換気通路を通って小さなゴミ等の異物や、虫や蜂等の小さな生き物が屋根裏や天井裏に侵入しないようにするためである。なお、換気スリット１１ｄ１は、軒裏換気金物１１によって確保された換気通路を介して屋外からの空気を屋根裏に送って、あるいはその逆方向に換気を行うことが可能であれば十分であるので、換気通路形成上面１１ｄだけでなく、換気通路形成起立面１１ｃに設けるようにしても良い。
【００２０】
換気通路形成下面１１ｂには、図２や図３等に示すように、コの字状の切り込みを軒裏換気金物１１の長手方向に所定間隔で複数入れて、その切り込みに囲まれた換気通路形成起立面１１ｃ側が換気通路形成上面１１ｄに近付くように換気通路形成下面１１ｂから折り曲げ立ち上げることにより、換気通路形成起立面１１ｃと外壁取付け部１１Ｅとの間であって、軒裏換気金物１１の長手方向に所定間隔に、換気通路の入口からの入り込む雨水を防止する複数の雨水浸入防止板１１ｂ１を立設させている。
【００２１】
ここで、複数の雨水浸入防止板１１ｂ１の軒裏換気金物１１の長手方向の幅は、図２や図８、図９等に示すように、換気スリット１１ｄ１の軒裏換気金物１１の長手方向の幅よりも、大きくしている。これは、細幅の換気スリット１１ｄ１によって小さなゴミ等の異物や虫や蜂等の小さな生き物の軒裏への侵入の阻止を図るため、複数の雨水浸入防止板１１ｂ１では、強風と共に換気通路の入り口から吹き上がってくる雨は勿論のこと、換気通路を通して侵入してくる葉っぱや、小鳥、大きなゴミ等の侵入の阻止を目的としたからである。なお、雨水浸入防止板１１ｂ１の面積は、この軒裏換気金物１１における換気面積を考慮して決定するものとする。また、換気通路形成下面１１ｂに対する雨水浸入防止板１１ｂ１の折り曲げ角度は、図４や図１０等に示すように９０度に限らず、どちらか一方に傾斜させることもできるし、雨水浸入防止板１１ｂ１の上端部を外壁２側に折り曲げて、雨水の浸入をさらに防止することもできる。
【００２２】
このように、この軒裏換気金物１１では、換気通路の入口からの入り込む雨水を防止する複数の雨水浸入防止板１１ｂ１を設けたため、上述の先行文献２のように開閉弁（フラップ）を設けなくても、軒裏や屋根裏への雨の進入を防止することができる。なお、この軒裏換気金物１１では、換気通路形成下面１１ｂにコの字状の切り込みを複数入れ、その切り込みに囲まれた部分を折り曲げて立ち上げることにより複数の雨水浸入防止板１１ｂ１を設けているが、本発明では、これに限らず、軒裏換気金物１１の長手方向に長い切込みを入れて、１枚の雨水浸入防止板１１ｂ１を設けても良いし、換気通路形成下面１１ｂに溶接して１または複数の雨水浸入防止板１１ｂ１を取付けるようにしても勿論良い。なお、１枚の雨水浸入防止板１１ｂ１を設ける場合でも、雨水浸入防止板１１ｂ１の上端部と換気通路形成上面１１ｄの裏面との間に隙間が形成されるので、その隙間の間隔を調整すれば、軒裏換気金物１１の長手方向に所定間隔で複数の雨水浸入防止板１１ｂ１を設けなくても問題はない。
【００２３】
特に、この軒裏換気金物１１では、複数の雨水浸入防止板１１ｂ１を換気スリット１１ｄ１の外壁２側の端部よりも外壁２側に設けているため、強風と共に換気通路の入り口から吹き上がってくる雨水は、複数の雨水浸入防止板１１ｂ１によって阻止されるだけでなく、複数の雨水浸入防止板１１ｂ１よりも外壁２側の換気通路形成上面１１ｄにも当たって、換気スリット１１ｄ１への侵入を阻止するので、この点でも軒裏や屋根裏への雨の進入をさらに防止することができる。
【００２４】
なお、この軒裏換気金物１１では、図２や図３等に示すように、換気通路形成下面１１ｂにコの字状の切り込みを入れ、その切り込みに囲まれた部分を折り曲げ立ち上げて雨水浸入防止板１１ｂ１を設けているが、雨水浸入防止板１１ｂ１を折り曲げ易くするため、雨水浸入防止板１１ｂ１の周囲を換気スリット１１ｄ１の短手方向の幅と同程度の幅だけ換気通路形成下面１１ｂにコの字状の切り込みを入れて雨水浸入防止板１１ｂ１を設けている。そのため、換気通路形成下面１１ｂには、図２や図３等に示すように、雨水浸入防止板１１ｂ１よりも大きい開口部１１ｂ２が形成されるが、図１に示すように、この軒裏換気金物１１を軒裏に取付けた場合には、軒天ボード先端収容部１１Ａに軒天ボード３の先端部が差し込まれ、換気通路形成下面１１ｂの開口部１１ｂ２は、軒天ボード３によって塞がれることになる。
【００２５】
外壁取付け部１１Ｅは、換気通路形成部１１Ｂの換気通路形成上面１１ｄから上方に折れ曲がり外壁２に取り付けられる部分で、図２や図３等に示すように、ネジ孔１１ｅ１が設けられている。そのため、このネジ孔１１ｅ１にネジを挿入して締め付けることにより、この軒裏換気装置１を外壁２に取付けることができる。
【００２６】
不燃性高温膨張材１２は、火災等が発生し、所定の温度に達すると、その体積が数十倍に膨張するもので、図４や図１０等に示すように、換気通路形成起立面１１ｃにおいて軒裏換気金物１１の長手方向に貼り付けている。
【００２７】
そのため、この軒裏換気金物１１では、不燃性高温膨張材１２は、換気通路形成起立面１１ｃと雨水浸入防止板１１ｂ１との間に設けられ、換気通路起立面１１ｃと雨水浸入防止板１１ｂ１と換気通路形成上面１１ｄと換気通路形成下面１１ｂとによって囲まれるため、火災等が発生し膨張した場合でも、そのほとんどはその囲まれた空間で膨張することになり、不燃性高温膨張材１２の量が少なかったり、膨張不足の場合でも換気通路を確実に遮断できる。なお、この実施形態１の軒裏換気装置１では、不燃性高温膨張材１２は、換気通路形成起立面１１ｃの全面に貼り付けて設けているが、本発明では、火災等が発生して場合、膨張して軒裏換気金物１１の換気通路を遮断できれば十分であるので、これに限らず、換気通路形成起立面１１ｃの一部や、換気通路形成起立面１１ｃと雨水浸入防止板１１ｂ１との間の換気通路形成下面１１ｂや換気通路形成上面１１ｄの裏側（図上、下側）の全面や一部に貼り付けても良い。さらには、雨水浸入防止板１１ｂ１よりも外壁２側の換気通路形成下面１１ｂまたは換気通路形成上面１１ｄ、さらには雨水浸入防止板１１ｂ１の換気通路形成起立面１１ｃ側または外壁２側の全面や一部に貼り付けるようにしても良い。
【００２８】
なお、換気通路形成起立面１１ｃには、図１１や図１２に示すように、その長手方向に補強リブ１１ｃ１を形成して、軒裏換気金物１１全体の強度を向上させるようにしても良い。また、換気通路形成起立面１１ｃの長手方向に補強リブ１１ｃ１を形成することにより、換気通路形成起立面１１ｃ側に不燃性高温膨張材１２を貼り付ける場合には、その補強リブ１１ｃ１を不燃性高温膨張材１２の貼り付けのためのガイドにすることもできる。
【００２９】
実施形態２．
上記実施形態１の軒裏換気装置１では、軒裏換気金物１１は、図２や図３等に示すように、換気通路形成下面１１ｂにコの字状の切り込みを入れ、その切り込みに囲まれた部分を折り曲げ、起立させることにより複数の雨水浸入防止板１１ｂ１を設けて説明したが、本発明では、これに限らず、換気通路形成下面１１ｂ側から起立させるのではなく、換気通路形成上面１１ｄ側から複数の雨水浸入防止板を切り込みを入れて折り曲げてぶら下げたり、あるいは溶接により取付けるようにしても良い。
【００３０】
例えば、実施形態２の軒裏換気装置１’の軒裏換気金物１１’では、図１３に示すように、換気通路形成上面１１ｄにコの字に複数の切り込みを入れて、その換気通路形成起立面１１ｃ側が換気通路形成下面１１ｂに近付くように折り曲げることにより、換気通路形成上面１１ｄに換気スリット１１ｄ１を設ける共に、換気通路形成上面１１ｄから下がる雨水浸入防止板１１ｄ２を設けている。なお、図１３でも、図２や図３と同様に、不燃性高温膨張材１２を省略して実施形態２の軒裏換気金物１１’のみを示している。
【００３１】
これにより、実施形態２の軒裏換気装置１’によっても、上述の実施形態１の軒裏換気装置１と同様に、軒裏換気金物１１に、軒天ボード３先端を当てて当該軒天ボード３先端を収容する断面コ字状の軒天ボード先端収容部１１Ａを有するため、軒天ボード３の差込み過ぎ及び差込み不足という軒天ボード３の差込み作業のミスをなるべく防止できると共に、軒裏換気金物１の換気通路形成起立面１１ｃと外壁取付け部１１Ｅの間に、換気通路の入口からの入り込む雨水を防止する雨水浸入防止板１１ｄ２が設けられたことになるので、開閉弁（フラップ）を設けなくても軒裏への雨の進入を防止することができる。また、実施形態１の軒裏換気装置１と同様に、不燃性高温膨張材１２を換気通路形成起立面１１ｃと雨水浸入防止板１１ｂ１との間に設ければ、換気通路起立面１１ｃと雨水浸入防止板１１ｂ１と換気通路形成上面１１ｄと換気通路形成下面１１ｂとによって囲まれるため、火災等が発生し膨張した場合でも、そのほとんどはその囲まれた空間で膨張することになり、不燃性高温膨張材１２の量が少なかったり、膨張不足の場合でも換気通路を確実に遮断できる。
【００３２】
なお、上記実施形態１，２の軒裏換気装置１，１’では、軒裏換気金物１１，１１’に不燃性高温膨張材１２を設けるものとして説明したが、本発明では、これに限らず、軒裏換気装置１，１’に不燃性高温膨張材１２を設ける必要がない住宅の場合には、軒裏換気金物１１，１１’に不燃性高温膨張材１２を貼り付けずに省略して、換気だけを目的とした軒裏換気装置１，１’にすることもできる。
【符号の説明】
【００３３】
１，１’  軒裏換気装置
１１，１１’  軒裏換気金物
１１Ａ  軒天ボード先端収容部
１１ａ１  軒天ボード案内面
１１Ｂ  換気通路形成部
１１ｂ  換気通路形成下面
１１ｂ１，１１ｄ２  雨水浸入防止板
１１ｃ  換気通路形成起立面
１１ｄ  換気通路形成上面
１１ｄ１  換気スリット
１１Ｅ  外壁取付け部
１２  不燃性高温膨張材
２  外壁
３  軒天ボード
４  屋根
５  鼻隠し材
【図１】
2014098244.tif 000003
【図２】
2014098244.tif 000004
【図３】
2014098244.tif 000005
【図４】
2014098244.tif 000006
【図５】
2014098244.tif 000007
【図６】
2014098244.tif 000008
【図７】
2014098244.tif 000009
【図８】
2014098244.tif 000010
【図９】
2014098244.tif 000011
【図１０】
2014098244.tif 000012
【図１１】
2014098244.tif 000013
【図１２】
2014098244.tif 000014
【図１３】
2014098244.tif 000015